(57)【要約】【課題】ブラケット本体のベースに対する固定や固定解除が、ビスや締結工具を使用する必要もなく迅速に行えるようにし、以て手摺の分離や再装着が簡便に行える手摺ブラケットを提供する。【解決手段】壁面に締結固定されるベース１と、ベース１に対して分離可能に係合装着されるブラケット本体２と、ベース１に装着されてブラケット本体２を分離不能にロック保持するロックリング３とからなる。ベース１とブラケット本体２とは、ブラケット本体２に設けた連結軸２０と、ベース１のボス７に設けた連結穴１０を介して係合連結する。ベース１と、ブラケット本体２と、ロックリング３との三者間に設けたバヨネット構造で、連結軸２０を分離不能に係合固定する。以て、ロックリング３をロック位置とアンロック位置とに往復変位するだけで、ブラケット本体２を着脱できるようにする。【選択図】        図４
2005009196.tif 000002
【特許請求の範囲】
【請求項１】
装着面に締結固定されるベース１と、ベース１に対して分離可能に係合装着されるブラケット本体２と、ベース１に装着されてブラケット本体２を分離不能にロック保持するロックリング３とを備えており、
ベース１とブラケット本体２とは、両者１・２の接合面間に設けられて互いに嵌係合する連結軸２０、および連結穴１０を介して係合連結されており、
ロックリング３は、ロック位置とアンロック位置とに往復変位操作可能にベース１で支持されており、
ベース１に係合連結したブラケット本体２が、ベース１と、ブラケット本体２と、ロックリング３との三者間に設けたバヨネット構造で分離不能に係合固定されていることを特徴とする手摺ブラケット。
【請求項２】
ベース１とブラケット本体２との間に、互いに嵌係合して、ブラケット本体２を回転不能に固定保持する位置決め構造が設けてある請求項１記載の手摺ブラケット。
【請求項３】
ロックリング３がベース１の外面に突設したボス７で回転自在に支持されており、
ボス７の筒壁内面に、ブラケット本体２に設けた連結軸２０を受け入れる連結穴１０が形成されており、
バヨネット構造が、ボス１の筒壁に形成した周方向のガイド溝１２と、ロックリング３の内面に突設されて、ガイド溝１２を介して連結穴２０の内面に突出するロックピン３１と、連結軸１０の周面に沿って形成されて、ロックピン３１に係合するロック溝２４とを含み、
ロックリング３をアンロック位置からロック位置へ回転操作した状態において、ロックピン３１がロック溝２４と係合して、ブラケット本体２を分離不能に固定保持している請求項１または２記載の手摺ブラケット。
【請求項４】
ベース１とブラケット本体２との連結部の外面が、ベース１およびブラケット本体２に対して回転不能に係合固定したキャップ４で覆われており、
ベース１に組み込んだロックリング３とキャップ４との間に、ロックリング３の弛み方向の回転を阻止するストッパー機構が設けてある請求項１または２または３記載の手摺ブラケット。
【請求項５】
壁面用のブラケット本体２に設けた連結軸２０と、笠木用のブラケット本体２Ａに設けた連結軸２０Ａと、棒端支持用のブラケット本体２Ｂに設けた連結軸２０Ｂと、コーナー用のブラケット本体２Ｃに設けた連結軸２０Ｃとが同一構造に形成されており、
ベース１およびロックリング３が各ブラケット本体２・２Ａ・２Ｂ・２Ｃに対して共通使用できる請求項１記載の手摺ブラケット。
【発明の詳細な説明】
【０００１】
【発明の属する技術分野】
本発明は、壁面などに固定されるベースと、ベースに対して着脱可能に装着固定されるブラケット本体とを備えている手摺ブラケットに関する。
【０００２】
【従来の技術】
ベースと、ベースに対して着脱可能に装着固定されるブラケット本体とを備えている手摺ブラケットは公知である（特許文献１参照）。そこでは、壁面に締結固定したベースにブラケット本体を係合装着し、両者をビスで分離不能に締結固定している。同種の手摺ブラケットにおいて、ブラケット本体とベースとの間に凹凸嵌合構造を設けて、仮組み状態において、両者を相対回動不能に係合する手摺ブラケットも提案されている（特許文献２参照）。
【０００３】
【特許文献１】
特許第３３４２４７３号公報（段落番号００１８、図２）
【特許文献２】
特開２００３−４１７３６号公報（段落番号００１０、図４）
【０００４】
【発明が解決しようとする課題】
特許文献１、２の手摺ブラケットによれば、複数個のブラケット本体が装着された状態のままで手摺棒を壁面から取り外し、あるいはベースに再装着できるので、家具などの搬入や搬出を行う場合や、壁紙を張り替える際に、手摺の着脱の手間を省くことができる。しかし、ブラケット本体がベースに対してビスで締結されているので、手摺を着脱する場合には、１本の手摺棒に固定してあるブラケット本体の個数分だけビスを締緩操作する必要があり、依然として多くの手間を要する。
【０００５】
手摺ブラケットには、壁面用、笠木用、コーナー用、棒端支持用などがあるが、それぞれ専用のブラケットとして構成することが多く、これも個々の手摺ブラケットのコストが嵩む一因になっていた。
【０００６】
本発明の目的は、ブラケット本体のベースに対する固定や固定解除を、ビスや締結工具を使用する必要もなく迅速に行え、従って手摺の分離や再装着が簡便に行える手摺ブラケットを提供することにある。本発明の目的は、壁面用、笠木用、コーナー用、棒端支持用の手摺ブラケットにおいてベースを共通使用して、手摺の構築に要する全体コストの削減化が図れる手摺ブラケットを提供することにある。
【０００７】
【課題を解決するための手段】
本発明の手摺ブラケットは、装着面に締結固定されるベース１と、ベース１に対して分離可能に係合装着されるブラケット本体２と、ベース１に装着されてブラケット本体２を分離不能にロック保持するロックリング３とを備えている。ベース１とブラケット本体２とは、両者１・２の接合面間に設けられて互いに嵌係合する連結軸２０、および連結穴１０を介して係合連結される。ロックリング３は、ロック位置とアンロック位置とに往復変位操作可能にベース１で支持されている。ベース１に係合連結したブラケット本体２は、ベース１と、ブラケット本体２と、ロックリング３との三者間に設けたバヨネット構造で分離不能に係合固定する（請求項１）。
【０００８】
ベース１とブラケット本体２との間には、互いに嵌係合して、ブラケット本体２を回転不能に固定保持する位置決め構造を設ける（請求項２）。
【０００９】
ロックリング３はベース１の外面に突設したボス７で回転自在に支持する。ボス７の筒壁内面には、ブラケット本体２に設けた連結軸２０を受け入れる連結穴１０を形成する。バヨネット構造は、ボス１の筒壁に形成した周方向のガイド溝１２と、ロックリング３の内面に突設されて、ガイド溝１２を介して連結穴２０の内面に突出するロックピン３１と、連結軸１０の周面に沿って形成されて、ロックピン３１に係合するロック溝２４とを含む。ロックリング３をアンロック位置からロック位置へ回転操作した状態において、ロックピン３１がロック溝２４と係合して、ブラケット本体２を分離不能に固定保持できるようにする（請求項３）。
【００１０】
ベース１とブラケット本体２との連結部の外面は、ベース１およびブラケット本体２に対して回転不能に係合固定したキャップ４で覆われており、ベース１に組み込んだロックリング３とキャップ４との間には、ロックリング３の弛み方向の回転を阻止するストッパー機構を設けることができる（請求項４）。
【００１１】
壁面用のブラケット本体２に設けた連結軸２０と、笠木用のブラケット本体２Ａに設けた連結軸２０Ａと、棒端支持用のブラケット本体２Ｂに設けた連結軸２０Ｂと、コーナー用のブラケット本体２Ｃに設けた連結軸２０Ｃとは、同一構造に形成して、ベース１およびロックリング３を各ブラケット本体２・２Ａ・２Ｂ・２Ｃに対して共通使用できるようにする（請求項５）。
【００１２】
【発明の作用効果】
本発明では、壁面などに締結固定されるベース１に対して、ブラケット本体２を連結軸２０および連結穴１０を介して係合連結したうえで、ロックリング３を含むバヨネット構造で、ブラケット本体２を分離不能にロック固定できるようにしたので、ロックリング３をロック位置とアンロック位置とに切り換え操作するだけで、ブラケット本体２のベース１に対する固定と固定解除がワンタッチ操作で行える。従って、ブラケット本体をベースに対してビスで締結固定する必要があった従来の手摺構造に比べて、ブラケット本体２の固定と固定解除とが、ビスや締結工具を使用する必要もなく迅速に行え、手摺の分離や再装着を簡便な手摺ブラケットを提供できる（請求項１）。
【００１３】
ベース１とブラケット本体２との間に位置決め構造を設けた手摺ブラケットによれば、ブラケット本体２をベース１に仮組みした状態において、ブラケット本体２が連結軸２０と連結穴１０とを介して嵌合支持され、さらに位置決め構造で回転不能に固定保持されるので、ロックリング３をロック操作する際に、ブラケット本体２を回転不能に支え保持する必要がなく、軽く支えた状態下でロックリング３をロック操作でき、ブラケット本体２の固定を簡便に行える（請求項２）。
【００１４】
ボス１の筒壁に形成したガイド溝１２と、ロックリング３の内面に突設したロックピン３１と、連結軸２０の周面に形成したロック溝２４とでバヨネット構造を構成し、ロックリング３をアンロック位置からロック位置へ回転操作することにより、ロックピン３１がロック溝２４と係合して、ブラケット本体２を分離不能に固定保持できるようにした手摺ブラケットによれば、ベース構造およびバヨネット構造を簡素化でき、その分だけ手摺ブラケットの全体コストを削減できる。例えば、連結軸２０をベース１側に設け、連結穴１０をブラケット本体２側に設けて、ブラケット本体２をベース１に連結することができるが、その場合には、ベース１にロックリング３を回転操作可能に軸支するための構造が余分に必要になるので、その分だけ手摺ブラケットの全体コストが嵩むことになるが、かかる不利を生じない（請求項３）。
【００１５】
ベース１とブラケット本体２との連結部の外面をキャップ４で覆い、ロックリング３とキャップ４との間に、ロックリング３の弛み方向の回転を阻止するストッパー機構を設けた手摺ブラケットによれば、例えば外部振動を受けてロックリング３が弛み方向へ回転するのをストッパー機構で阻止できるので、使用者の明確な意図がない限りは、ロックリング３がアンロック状態に切り換わるのを確実に防止できる。従って、長期使用時にも連結軸２０がボス７から脱落するのを確実に防止できる（請求項４）。
【００１６】
ベース１が、壁面用のブラケット本体２と、笠木用のブラケット本体２Ａと、棒端支持用のブラケット本体２Ｂと、コーナー用のブラケット本体２Ｃとに対して共通使用できるようにしてあると、ベース１およびロックリング３を共用する分だけ手摺の構成部品点数を減少できるので、手摺の構築に要する全体コストを削減化できるうえ、手摺を構築する手間も省くことができる（請求項５）。
【００１７】
【実施例】
図１ないし図６は本発明に係る手摺ブラケットの実施例を示す。図１ないし図３において、手摺ブラケットは壁面（装着面）に締結固定されるベース１と、ベース１に対して分離可能に係合装着されるブラケット本体２と、ベース１に装着されてブラケット本体２を分離不能にロック保持するロックリング３と、ベース１とブラケット本体２との連結部の外面を覆い隠すキャップ４とで構成する。
【００１８】
図２においてベース１は、円盤状のダイキャスト成形品からなり、盤面の中央に円筒状のボス７を突設し、その上部に左右一対の係合片８を突設してなる。ベース１の盤面の周縁３箇所にはビス穴９を形成してある。ボス７の筒壁内面には連結穴１０が形成してある。筒壁の対向二個所には、ロックリング３のロックピン３１を組み込むためのスリット１１が形成され、さらに各スリット１１に連続してロックピン３１と係合するガイド溝１２が周方向に形成されている。ベース１の盤面の周縁４箇所には、キャップ４を抜け止め保持する装着凹部１３が形成してある。符号１４は位置決め表示であって、複数個のベース１を直線列状に位置決めするために設けてある。
【００１９】
両スリット１１は、時計の文字盤における１時と７時の位置に形成してあり、両ガイド溝１２の溝奥端は３時と９時の位置にある。図３のＢ−Ｂ線矢視図に示すように、ロックピン３１を受け止める側のガイド溝１２の溝壁１２ａは、スリット１１側から溝奥端側へ向かって下り傾斜している。連結軸２０をベース１側へ引き寄せ操作するためであるが、その詳細は後述する。
【００２０】
ブラケット本体２は、Ｊ字状に湾曲する支持アーム１７と、支持アーム１７の上端に張り出し形成される棒受座１８と、支持アーム１５の基端に設けられる連結部とを一体に形成したダイキャスト成形品からなる。手摺棒Ｒを支持する棒受座１８の座面は下凹み状に形成してあり、その左右にビス穴１９を形成してある。
【００２１】
連結部には、ベース１の連結穴１０に嵌合装着される丸軸状の連結軸２０と、ボス７と同じ直径のフランジ２１と、フランジ２１の上縁中央から上向きに突設される逆Ｌ字状の受爪２２と、受爪２２の内隅に形成される位置決め突起２３とを形成してある。連結軸２０の対向周面には、ロックピン３１に係合するロック溝２４と、ロックピン３１の出入口２５とが形成してある。フランジ２１、および受爪２２の外面には鍵穴形の化粧壁２６が膨出形成されている。
【００２２】
ロックリング３はダイキャスト成形品からなり、ボス７に外嵌装着される円形のリング部３０を有し、その対向壁の内外面に一対のロックピン３１と、操作ノブ３２とをそれぞれ突出形成してある。操作ノブ３２の厚み寸法は、リング部３０の厚み寸法より大きい（図６参照）。
【００２３】
キャップ４は、壁面へ向かって開口する椀状のプラスチック成形品からなり、軟質樹脂で形成する。キャップ４の中央には、ブラケット本体の支持アーム１７の基端と係合する長円状の装着穴３５を形成してあり、この穴３５の上端からキャップ壁の周縁上端にわたって装着溝３６が形成されている。キャップ壁の内面には、ベース１の装着凹部１３に係合する４組の爪３７・３８と、ベース１の下半周面に接当する３個のリブ３９とが形成してある。４組の爪３７・３８のうち、左右に対向する爪３８は、ロックリング３のストッパーを兼ねる。
【００２４】
手摺ブラケットは以上の部品で構成するが、この実施例におけるバヨネット構造は、ボス７に形成したガイド溝１２と、連結軸２０の周面に形成したロック溝２４と、ロックリング３、およびその内面に形成したロックピン３１とからなり、ロックリング３をアンロック位置からロック位置へ回転操作した状態において、ロックピン３１がロック溝２４と係合して、ブラケット本体２を分離不能に固定保持する。その詳細は後述する。
【００２５】
ブラケット本体２を回転不能に固定保持する位置決め構造は、ベース１に設けた左右一対の係合片８と、ブラケット本体２の受爪２２の内隅に設けた突起２３とからなる。ロックリング３とキャップ４との間に設けられて、ロックリング３の弛み方向の回転を阻止するストッパー機構は、ロックリング３に設けた左右一対の操作ノブ３２と、キャップ４の内面に設けた左右一対の爪３８とで構成されている。
【００２６】
次に、手摺ブラケットの組み付け手順の一例を説明する。まず、ベース１を壁面にあてがい、その位置決め表示１４を指標にして壁面に対する取付姿勢を決め、各ビス穴９を介してビス４２を壁面にねじ込んでベース１を固定する。全てのベース１を壁面に固定したのち、ロックリング３とブラケット本体２をベース１に組み込む。詳しくは、ロックピン３１をスリット１１に差し込み、ブラケット本体２の突起２３が一対の係合片８の間に入り込む状態で、連結軸２０を連結穴１０に内嵌する。このとき、ロックピン３１の突端が出入口２５からロック溝２４内へと入り込む。
【００２７】
上記の仮組み状態において、図４に矢印で示すように、操作ノブ３２を時計回転方向へ回転操作して、ロックリング３をアンロック位置からロック位置へ回転変位し、ロックピン３１をロック溝２４の内奥に係合する。このとき、ロックピン３１は、ガイド溝１２の溝壁１２ａに案内されて僅かに壁面側へ変位し、連結軸２０をベース１側へ引き寄せる。その結果、連結軸２０は図５に示すように、軸端が連結穴１０の内奥壁に密着する。つまり、連結軸２０は連結穴１０の内奥壁１０ａとロックピン３１とによって、軸心方向へ遊動不能に挟持固定される。
【００２８】
上記のように、ブラケット本体２のベース１に対する固定は、ロックリング３を所定角度に回転操作するだけでよく、締結工具を使用する必要もなくワンタッチでブラケット本体２を固定できる。固定状態を解除する場合には、ロックリング３を逆方向へ所定角度に回転操作するだけでよく、同様にワンタッチでブラケット本体２を固定解除できる。
【００２９】
全てのブラケット本体２をベース１に装着してロックリング３でロック固定したのち、手摺棒Ｒを棒受座１８に載置して、ビス４３をビス穴１９を介して手摺棒Ｒにねじ込んで、手摺棒Ｒを各手摺ブラケットに固定する。最後に、キャップ４を各手摺ブラケットに被せ付ける。詳しくは、装着溝３６で分断されたキャップ壁を前後逆向きにたわみ変形させて溝開口を拡げ、キャップ４をブラケット本体２の連結部、およびベース１に被せ付け、その爪３７・３８をベース１の装着凹部１３に係合させる。
【００３０】
上記のようにキャップ４を装着した状態においては、ベース１やロックリング３の外面がキャップ４で覆われるので、手摺ブラケットの外観がすっきりとしたものになる。装着穴３５と装着溝３６とは、ブラケット本体２の化粧壁２６で塞がれ、これら三者の表面が面一状になるので、手摺ブラケットの外観上の印象をすっきりとしたものにできる。さらに注目すべきは、図４に示すように、ロック操作された操作ノブ３２を一対の爪３８で挟み込んで、ロックリング３が反時計回転方向へ回転するのを阻止できるので、例えば外部振動を受けたロックリング３が弛んで、連結軸２０がボス７から脱落するのを確実に防止できる。
【００３１】
壁面用、笠木用、棒端支持用、コーナー用の各手摺ブラケットにおいて、ベース１を共通使用することにより手摺の構築に要する全体コストを削減できる。具体的には、図７ないし図１１に示すように、笠木用のブラケット本体２Ａに設けた連結軸２０Ａと、棒端支持用のブラケット本体２Ｂに設けた連結軸２０Ｂと、コーナー用のブラケット本体２Ｃに設けた連結軸２０Ｃとを、それぞれ壁面用のブラケット本体２に設けた連結軸２０と同一構造に形成して、ベース１を各ブラケット本体２Ａ〜２Ｃに対して共通使用できるようにする。
【００３２】
図７に示す笠木用のブラケット本体２Ａは、支持アーム１７が垂直に形成してある点が異なるだけで、他は壁面用のブラケット本体２と同じであるから、同じ部材には同じ符号を付してその説明を省略する。以下の各ブラケット本体２Ｂ・２Ｃにおいても同様に扱う。キャップ４は壁面用の手摺ブラケットに適用されるキャップと同じである。
【００３３】
図８および図９に示す棒端支持用のブラケット本体２Ｂは、中空枠状の支持アーム１７ｂを有し、その先端に手摺棒Ｒを受け入れる棒受穴４５を有する。符号４６はプラスチック成形品からなる断面Ｕ字状のカバーである。このカバー４６を支持アーム１７ｂの開口周縁に係合装着することにより、支持アーム１７ｂの開口部を覆い隠して、外観を整えることができる。
【００３４】
棒端支持用のブラケット本体２Ｂに適用されるキャップ４ｂは、図１０に示すように断面Ｃ字状の筒構造とする点が、壁面用の手摺ブラケットに適用されるキャップ４とは異なる。しかし、その内面に設けた爪３８が、操作ノブ３２のストッパーを兼ねている点は、壁面用の手摺ブラケットに適用されるキャップ４と同じである。
【００３５】
図１１に示すコーナー用のブラケット本体２Ｃは、中心軸線が直交する一対の棒受穴４７と、支持ボス４８とで支持アーム１７ｃを構成し、支持ボス４８の取付端に、ベース１に対する連結構造を設けられている。支持アーム１７ｃの上面開口は、Ｌ字状のカバー４９で覆い隠す。コーナー用のブラケット本体２Ｃに適用されるキャップ４ｃは、棒端支持用のブラケット本体２Ｂに適用されるキャップ４ｂと同じ構造である。なお、上記以外の構造のブラケット本体であっても、ベース１を共通使用することができる。
【００３６】
上記の実施例以外に、連結軸２０をベース１側に設け、連結穴１０をブラケット本体２側に設けてもよい。ベース１とブラケット本体２との間に設けるべき位置決め構造は、互いに嵌係合する軸と凹部とで構成してもよく、要はブラケット本体２をベース１に組み付けた状態において、ブラケット本体が２回転できない構造であれば足りる。同様に、ロックリング３の弛み方向の回転を阻止するストッパー機構は、ロックリング３とキャップ４との間に設けられて、互いに接当する一対の部材で構成することができる。
【図面の簡単な説明】
【図１】手摺ブラケットの縦断側面図である。
【図２】手摺ブラケットの分解斜視図である。
【図３】手摺ブラケットの分解正面図である。
【図４】図１におけるＡ−Ａ線断面図である。
【図５】ブラケット本体とベースの連結構造を示す縦断側面図である。
【図６】図４におけるＣ−Ｃ線断面図である。
【図７】笠木用手摺ブラケットの一部破断正面図である。
【図８】手摺の斜視図である。
【図９】棒端支持用の手摺ブラケットの一部破断側面図である。
【図１０】図９におけるＤ−Ｄ線断面図である。
【図１１】コーナー用の手摺ブラケットの一部破断側面図である。
【符号の説明】
１  ベース
２  ブラケット本体
３  ロックリング
４  キャップ
７  ボス
１０  連結穴
１２  ガイド溝
２０  連結軸
２４  ロック溝
３１  ロックピン
【図１】
2005009196.tif 000003
【図２】
2005009196.tif 000004
【図３】
2005009196.tif 000005
【図４】
2005009196.tif 000006
【図５】
2005009196.tif 000007
【図６】
2005009196.tif 000008
【図７】
2005009196.tif 000009
【図８】
2005009196.tif 000010
【図９】
2005009196.tif 000011
【図１０】
2005009196.tif 000012
【図１１】
2005009196.tif 000013